(57)【要約】【課題】施設利用者の情報について、利用者の親類が知りたい情報のみを安全に開示でき、親類に安心感を与えることができる入院患者又は入居者情報の開示システムを提供する。【解決手段】入院患者又は入居者情報の開示システム１は、医療機関の入院患者又は介護施設の入居者からなる利用者が滞在する施設内に配されて利用者に関する利用者情報が入力される施設側端末２と、施設側端末２に入力された利用者情報が格納されるデータベース３と、データベース３内の利用者情報を公開情報又は非公開情報に認識する情報認識部９と、情報認識部９にて認識された公開情報を取得してインターネット４を介して表示するアプリケーション８とを備えている。【選択図】        図１
2019079155.tif 000002
【特許請求の範囲】
【請求項１】
医療機関の入院患者又は介護施設の入居者からなる利用者が滞在する施設内に配されて前記利用者に関する利用者情報が入力される施設側端末と、
該施設側端末に入力された前記利用者情報が格納されるデータベースと、
該データベース内の前記利用者情報を公開情報又は非公開情報に認識する情報認識部と、
該情報認識部にて認識された前記公開情報を取得してインターネットを介して表示するアプリケーションとを備えたことを特徴とする入院患者又は入居者情報の開示システム。
【請求項２】
前記公開情報及び前記非公開情報は、前記施設側端末にあらかじめ選別されて記録されていることを特徴とする請求項１に記載の入院患者又は入居者情報の開示システム。
【請求項３】
前記データベースに格納される前記利用者情報は、前記公開情報のみであることを特徴とする請求項１又は２に記載の入院患者又は入居者情報の開示システム。
【請求項４】
前記公開情報は、前記施設側端末に入力された前記医療機関での看護記録又は前記介護施設での介護記録のうち、前記利用者の食事の有無又は点滴の有無又は睡眠時間であることを特徴とする請求項１〜３のいずれかに記載の入院患者又は入居者情報の開示システム。
【発明の詳細な説明】
【技術分野】
【０００１】
本発明は、医療機関（病院、クリニック、診療所等）に入院している入院患者又は介護施設（老人ホーム等）に入居している入居者の情報をその家族等に開示するための入院患者又は入居者情報の開示システムに関するものである。
【背景技術】
【０００２】
例えば入院患者の場合、患者の状態を確認できるものとして、看護業務支援システムが知られている（例えば特許文献１参照）。しかしながらこのようなシステムは、あくまで医療機関内での情報のやりとりや確認をスムーズにし、業務効率の向上を図る目的のものばかりである。
【０００３】
このことは介護施設の業務支援システムにも当てはまり、あくまで介護施設の職員間での情報のやりとりや確認をスムーズにし、業務効率の向上を図るために用いられている。すなわち、施設（医療機関、介護施設）内の利用者（入院患者、入居者）の情報は施設内の職員にしか開示されていないのが現状である。
【０００４】
これらの情報はプライベートなものや漏洩するのに適さないものが多いため、厳重に管理されるべきであるが、施設内の職員にはこれらを共有する必要があるために、上記のような形態になっている。
【先行技術文献】
【特許文献】
【０００５】
【特許文献１】特開２０１７−１４６９３６号公報
【発明の概要】
【発明が解決しようとする課題】
【０００６】
しかしながら、入院患者又は入居者の情報は家族等の親類が最も気になる情報であり、多くの親類が欲している情報の中身としては専門的なものではなく、利用者が「今日も元気にしている」だとか、「食事をちゃんととった」だとか、そのような情報であることが多い。
【０００７】
このような現状において、施設側としては時機が来るまで親類に開示できない情報もあり、親類としては毎日の利用者の様子を知りたいが、施設側として開示していい情報と開示に適さない情報とを峻別して保存しているわけではないので、上記親類の要望に応えることができていない。
【０００８】
本発明は、上記従来技術を考慮したものであり、施設利用者の情報について、利用者の親類が知りたい情報のみを安全に開示でき、親類に安心感を与えることができる入院患者又は入居者情報の開示システムを提供することを目的とする。
【課題を解決するための手段】
【０００９】
前記目的を達成するため、本発明では、医療機関の入院患者又は介護施設の入居者からなる利用者が滞在する施設内に配されて前記利用者に関する利用者情報が入力される施設側端末と、該施設側端末に入力された前記利用者情報が格納されるデータベースと、該データベース内の前記利用者情報を公開情報又は非公開情報に認識する情報認識部と、該情報認識部にて認識された前記公開情報を取得してインターネットを介して表示するアプリケーションとを備えたことを特徴とする入院患者又は入居者情報の開示システムを提供する。
【００１０】
好ましくは、前記公開情報及び前記非公開情報は、前記施設側端末にあらかじめ選別されて記録されている。
【００１１】
好ましくは、前記データベースに格納される前記利用者情報は、前記公開情報のみである。
【００１２】
好ましくは、前記公開情報は、前記施設側端末に入力された前記医療機関での看護記録又は前記介護施設での介護記録のうち、前記利用者の食事の有無又は点滴の有無又は睡眠時間である。
【発明の効果】
【００１３】
本発明によれば、情報認識部により、アプリケーションにて表示される利用者の方法は公開情報に限られるので、施設側としても選別された公開してもよい情報のみを公開でき、情報を安全に取り扱うことができる。さらに、利用者の親類側としては利用者に関して知りたい情報のみを知ることができるので、安心感を得ることができる。
【００１４】
利用者情報について施設側端末であらかじめ公開情報と非公開情報とを選別して入力しておくことで、施設側で設定した公開すべき情報のみを公開情報として利用者の親類に表示することができる。さらにアプリケーションにて表示する公開情報のみをデータベースに格納することで、誤って非公開情報がアプリケーションを介してインターネット上で公開されることを防止できる。
【００１５】
利用者に関する公開情報を利用者の食事の有無又は点滴の有無又は睡眠時間とすれば、利用者を滞在させている親類としては最も気になる情報を知ることができ、ひとまずの安心感を得ることができる。
【図面の簡単な説明】
【００１６】
【図１】本発明に係る入院患者又は入居者情報の開示システムの概略図である。
【発明を実施するための形態】
【００１７】
図１に示すように、本発明に係る入院患者又は入居者情報の開示システム１は、医療機関又は介護施設の施設にて使用されるものである。これら施設は、入院患者又は入居者等の利用者が滞在する施設でもある。システム１は、このような滞在をすることにより家族や親戚等の親類と離れて暮らす利用者の情報を取り扱うことを対象としている。すなわち本発明のシステム１は、「滞在型施設利用者情報の開示システム」とも換言できる。本発明は、このような滞在型施設利用者が親類と離れて暮らしていることから、その利用者の日常的な状況を親類と共有することで親類に多大な安心感を与えることを目的としている。そのために、システム１は施設滞在者（利用者）の日々の生活状況を知るために主に用いられる。
【００１８】
システム１は施設側端末２を備えている。この施設側端末２は医療機関や介護施設に設置されていて、施設職員が利用者に関する情報を入力するためのものである。施設側端末２は１又は複数台（図では３台）設置されている。職員が施設側端末２に入力した利用者情報は、データベース３に格納される。このデータベース３は、図示したようにインターネット４を介して施設側端末２とは別の場所に配されていてもよいし、同施設内に配されていてもよい。図では、施設側端末２はルータ５を介してインターネット４に接続され、さらにルータ６を介してインターネット４に接続されているデータベース３に対して接続されている態様を示している。なお、ルータ５、６にはファイアウォールも設置されていて、情報取り扱いの安全性が向上されている。
【００１９】
一方でルータ６にはウェブサーバ７も接続されている。このウェブサーバ７にはアプリケーション８が格納されている。アプリケーション８はデータベース３内の情報をインターネット４を介して表示するためのプログラムを有し、したがってアプリケーション８はデータベース３にアクセス可能なように接続されている。
【００２０】
ここで、利用者情報は公開情報と非公開情報で形成されている。上述したような施設を利用している利用者の情報はプライベートに関するものであり、デリケートなものが多いため、公開すべき情報と公開すべきでない情報とが混在している。インターネット４を介して表示させる情報としては非公開情報はふさわしくなく、公開情報に限るべきであるため、アプリケーション８は情報認識部９を有している。情報認識部９はデータベース３内の利用者情報を公開情報又は非公開情報に認識する。そして、情報認識部９にて認識された公開情報のみがアプリケーション８に取得されてインターネット４を介して表示される。具体的には、親類等がインターネット４にアクセスした際に親類側端末１０に対して表示される。親類側端末１０はインターネット４に接続できるものであればパソコンでもタブレットでもスマートフォンでもよい。
【００２１】
このように、情報認識部９により、アプリケーション８にて表示される利用者の方法は公開情報に限られるので、施設側としても公開してもよい情報のみを公開でき、情報を安全に取り扱うことができる。さらに、利用者の親類側としては利用者に関して知りたい情報のみを知ることができるので、安心感を得ることができる。
【００２２】
情報認識部９としてはデータベース３に格納された利用者情報を公開情報と非公開情報とに自動的に選別して認識するようなものであってもよいし、施設側端末２に公開情報と非公開情報とがあらかじめ選別されて記録されていて、これを認識するようなものであってもよい。あらかじめ選別されて施設側端末２に記録する場合、施設の職員等があらかじめ利用者情報を振り分けて、例えば施設側端末２内の公開情報フォルダや非公開情報フォルダに記録されるような形で保存する。これは入力欄を分けて行ってもよいし、入力された情報を何らかの基準で振り分けて行ってもよい。このように利用者情報について施設側端末２であらかじめ公開情報と非公開情報とを選別して入力しておくことで、施設側で設定した公開すべき情報のみを公開情報として利用者の親類に表示することができる。このような公開情報と非公開情報との選別は、施設側が自由に設定することができる。
【００２３】
これらのあらかじめ施設側端末２内に記録された公開情報と非公開情報はともに利用者情報を構成するものであるが、データベース３には公開情報のみが格納されるようにしてもよい。換言すれば、アプリケーション８がアクセスできる箇所に保存される情報としては公開情報のみとし、非公開情報は別の場所に保存してもよい。これにより、誤って非公開情報がアプリケーション８を介してインターネット４上で公開されることを防止できる。
【００２４】
上述したように、公開情報は利用者情報の一部であるため、施設側端末２に入力された医療機関での看護記録又は介護施設での介護記録で形成される。ここに記録される情報のうち、例えば公開情報としては利用者の食事の有無又は点滴の有無又は睡眠時間が挙げられる。このような利用者の食事の有無又は点滴の有無又は睡眠時間を利用者に関する公開情報とすれば、利用者を滞在させている親類としては最も気になる情報を知ることができ、ひとまずの安心感を得ることができる。したがって、施設側端末２には、利用者の食事の有無入力部、利用者の点滴の有無入力部、利用者の睡眠時間入力部が備わっていることが好ましい。
【００２５】
公開情報としては、その他に食事の時間、点滴の開始時刻、就寝時刻、起床時刻等も考えられ得る。総合すれば、公開情報は主として利用者の日々の時系列に沿った行動記録である。これらについても、看護記録や介護記録中では専門的なことではないが親類としては最も知りたい事項だからである。したがって施設側端末２にこれらの入力部を設けてもよい。
【００２６】
上記システム１を使用することで、親類はいつでもどこでも利用者に関する情報を認識することができる。具体的には、あらかじめ設定しておいたＩＤ及びパスワードにてログインし、アプリケーション８を介して公開情報にアクセスする。安全性を高めるために親類側端末１０を施設側端末２に登録するための端末登録部を施設側端末２に配し、当該端末以外からのアクセスを拒絶するようにしてもよい。なお、本発明は医療機関や介護施設に限られず、保育施設等の利用者を一定期間預かる預かり型施設の全てに適用可能である。
【符号の説明】
【００２７】
１：入院患者又は入居者情報の開示システム、２：施設側端末、３：データベース、４：インターネット、５：ルータ、６：ルータ、７：ウェブサーバ、８：アプリケーション、９：情報認識部、１０：親類側端末
【図１】
2019079155.tif 000003